(57)【要約】【課題】機械操作が苦手なユーザも含めて、家族全員で手軽にコミュニケーション等を行える環境を構築するコミュニケーション装置を提供する。【解決手段】中央処理装置１、本装置に搭載する表示デバイス及びテレビ出力を含む表示装置２、遠隔操作が可能な入力装置３、データやプログラムを記憶する二次記憶装置５、メール、インターネットの通信プロトコルを含むデータ通信部６、規定のプロトコルによりメール送受信を行うメール送受信部７、送信先、メール本文からメールデータを生成するメールデータ生成部８、ホームページデータを指定のＷＥＢサーバにアップロードするホームページアップロード部９により、保存した画像、テキスト等のデータを用いて、「目覚まし時計」を操作する感覚で、メールやホームページアップロード、または、デジタルカメラの画像閲覧等を融合化した様々なコミュニケーション環境を構築する。【選択図】  図１
2004252644.tif 000002
【特許請求の範囲】
【請求項１】
要求された情報を処理する中央処理装置と、文字、画像などを表示する表示装置と、遠隔操作が可能な入力装置と、データやプログラムを記憶する二次記憶装置とを備え、前記二次記憶装置には、ネットワークを介した通信機能と内部に保存したデータを家庭内機器やインターネット通信網を介して送受信を行うコミュニケーション機能を設けたことを特徴とするコミュニケーション装置。
【請求項２】
前記コミュニケーション装置が、ユーザが予め登録したメッセージを指定のメールアドレスにメール送信する処理を割り当てたボタンを備えていることを特徴とする請求項１記載のコミュニケーション装置。
【請求項３】
前記コミュニケーション装置が、家庭内の日常生活における掃除、ごみ捨てなどの作業の日付、時間を管理するカレンダー機能を備え、前記作業の日付、時間をメールやテレビへの表示により告知を行う機能を備えたことを特徴とする請求項１または２に記載のコミュニケーション装置。
【請求項４】
前記コミュニケーション装置が、指定した時間の経過を通知するタイマー機能を備え、前記二次記憶装置内に保存されているデータを、タイマー作動中にテレビ表示させる機能を備えたことを特徴とする請求項１から３のいずれかの項に記載のコミュニケーション装置。
【請求項５】
前記コミュニケーション装置が、定刻に時刻を通知する時報機能を備え、時報の通知時に、前記二次記憶装置に保存した画像を表示させる機能を備えたことを特徴とする請求項１から４のいずれかの項に記載のコミュニケーション装置。
【請求項６】
前記コミュニケーション装置が、デジタルカメラで撮影した画像データを取り込んで前記二次記憶装置内に保存する機能を備え、特定の日時、時間に撮影した画像もしくは関連付けされた画像を自動的に表示する機能を備えたことを特徴とする請求項１から５のいずれかの項に記載のコミュニケーション装置。
【請求項７】
前記コミュニケーション装置が、予めユーザが登録した家族の誕生日や記念日等の特定の日をカウントダウン表示する機能を備えたことを特徴とする請求項１から６のいずれかの項に記載のコミュニケーション装置。
【請求項８】
前記コミュニケーション装置が、ユーザが予め指定した画像データの保存フォルダに対して自動的に更新を確認し、ホームページデータを生成し、アップロードを行う機能を備えたことを特徴とする請求項１から７のいずれかの項に記載のコミュニケーション装置。
【請求項９】
要求された情報を処理する中央処理装置と、文字、画像などを表示する表示装置と、遠隔操作が可能な入力装置と、データやプログラムを記憶する二次記憶装置とを備えたコミュニケーション装置を用いたコミュニケーション方法であって、ネットワークを介した通信機能と内部に保存したデータを家庭内機器やインターネット通信網を介して送受信を行うコミュニケーション機能を用いてコミュニケーションを行うことを特徴とするコミュニケーション方法。
【請求項１０】
前記コミュニケーション装置が、ユーザが予め登録したメッセージを指定のメールアドレスにメール送信する処理を割り当てたボタンを備えており、前記ボタンを操作することで、指定のメールアドレスにメール送信することを特徴とする請求項９記載のコミュニケーション方法。
【請求項１１】
前記コミュニケーション装置が、家庭内の日常生活における掃除、ごみ捨てなどの作業の日付、時間を管理するカレンダー機能を備えており、前記作業の日付、時間をメールやテレビへの表示により告知を行うことを特徴とする請求項９または１０に記載のコミュニケーション方法。
【請求項１２】
前記コミュニケーション装置が、指定した時間の経過を通知するタイマー機能を備えており、前記二次記憶装置内に保存されているデータを、タイマー作動中にテレビ表示させることを特徴とする請求項９から１１のいずれかの項に記載のコミュニケーション方法。
【請求項１３】
前記コミュニケーション装置が、定刻に時刻を通知する時報機能を備えており、時報の通知時に、前記二次記憶装置に保存した画像を表示させることを特徴とする請求項９から１２のいずれかの項に記載のコミュニケーション方法。
【請求項１４】
前記コミュニケーション装置が、デジタルカメラで撮影した画像データを取り込んで前記二次記憶装置内に保存する機能を備えており、前記保存したデジタルカメラ画像に対して、特定の日時、時間に撮影した画像もしくは関連付けされた画像を自動的に表示することを特徴とする請求項９から１３のいずれかの項に記載のコミュニケーション方法。
【請求項１５】
前記コミュニケーション装置が、予めユーザが登録した家族の誕生日や記念日等の特定の日を登録する機能を備えており、ある期間を過ぎると、該当日までの時間経過をカウントダウン表示することを特徴とする請求項９から１４のいずれかの項に記載のコミュニケーション方法。
【請求項１６】
ユーザが予め指定した画像データの保存フォルダに対して自動的に更新を確認し、ホームページデータを生成し、アップロードを行うことを特徴とする請求項９から１５のいずれかの項に記載のコミュニケーション方法。
【請求項１７】
請求項９から１６のいずれかの項に記載された方法をコンピュータに実行させるためのプログラム。
【請求項１８】
請求項１７に記載されたプログラムを記録したコンピュータ読み取り可能な記憶媒体。
【発明の詳細な説明】
【０００１】
【発明の属する技術分野】
本発明は、メール、ホームページアップロード等の通信機能、デジタルカメラなどのデータ保存、表示機能を活用した様々なコミュニケーション機能を実現し、機械操作が苦手なユーザも含めて、家族全員で手軽にコミュニケーション等を行える環境を構築するコミュニケーション装置、コミュニケーション方法、プログラム、及び記憶媒体に関する。
【０００２】
【従来の技術】
近年、パソコンやメール機能搭載の携帯電話の普及、または、手軽に、安く「写真」を楽しめるデジタルカメラの普及など、個人が様々な手段で、メール、画像データを使って、手軽にコミュニケーションが行える環境が構築されている。しかしながら、それらの機能を使いこなすためには、パソコンを初めとした機器の操作を習得しなくてはならず、機械操作が苦手なユーザ層にとって、十分活用できているとはいえない。
【０００３】
また、パソコン等の操作に精通しているユーザであっても、ちょっとしたメール連絡のために、パソコンを起動し、アプリケーションを立ち上げるといった操作や、デジタルカメラで撮影した画像をすぐに閲覧したいときに、パソコンの設置場所に移動し、電源を入れ、アプリケーションを立ち上げるといった操作は非常に煩わしいものであった。また、パソコンの設置場所は、家庭においては、個人の部屋が多いことから、日常生活において気軽に使える環境とはいえない。
【０００４】
従来の非パソコンを意識した個人情報を活用するシステムの多くは、独自の操作体系を持つ専用システムであり、手軽なコミュニケーション手段を提供する環境とはいえない。
【０００５】
例えば、特許文献１（特開２００１−２４９６６号公報）には、テレビジョンにおいて、使用者が入力したコンピュータやデジタルカメラからのデータを記憶するメモリを有し、このメモリに記憶された内容を自由に設定した日、時間に出力できる機能を有する時間制御音声管理システム付きテレビジョンが開示されている。
【０００６】
ここで、従来のパソコンを使ってネットワークを介したコミュニケーションを行う処理について、図２４、図２５を用いて説明する。
【０００７】
図２４は、従来のパソコンを用いた基本処理を示す処理ブロック図である。
【０００８】
この従来のシステムは、要求された情報を処理する中央処理装置１と、本装置に搭載する表示デバイス、及びテレビ出力を含む表示装置２と、遠隔操作が可能な入力装置（リモコン）３と、主記憶装置４と、データやプログラムを記憶する二次記憶装置５からなる。また二次記憶装置５は、メール、インターネットの通信プロトコルを含むデータ通信部６、デジタルカメラで撮影した画像データ等の入ったメモリカードを読み込むカードスロット制御部１２、パソコン内の基本プログラム（オペレーションシステム）をＧＵＩで操作するためのウィンドウシステム１８、パソコンに搭載したストレージ（主にハードディスク）に保存されたデータを管理するためのフォルダ管理部１９、メールの送受信・管理を行う「メーラー」や、画像データの参照・編集を行う「画像ビューアー」等を含むアプリケーション２０から構成される。
【０００９】
図２５は、従来の処理手順においてパソコンを使ってメールを送信する処理手順を説明するフローチャートである。
【００１０】
まず、パソコンの電源ボタンを押下し、パソコンを起動する（Ｓ１００）。一般的に、パソコンが操作可能になるためには、数十秒から数分の一定時間を有することが多い。
【００１１】
ここで、ユーザが目的とするアプリケーションを選択し、起動する（Ｓ１０１）。この例の場合、メールを送信する処置を行うため、「メーラー」のアプリケーションを起動する。なお、ファイルの選択やアプリケーションの起動は、ウィンドウシステム上でアイコンにカーソルを合わせ、クリックで実行することが多い。
【００１２】
メール送信時にユーザに課せられる操作は、アプリケーションによって異なるが、まずは、メール相手のメールアドレスを所定の入力欄に記入する（Ｓ１０２）。
【００１３】
メール本文となる文章を所定の場所に記述する（Ｓ１０３）。
【００１４】
メール送信を行う送信ボタンを押下する（Ｓ１０４）。
【００１５】
「メーラー」のアプリケーションを終了させる（Ｓ１０５）。
【００１６】
パソコンの電源を落とす（Ｓ１０６）。パソコンの起動と同様に、終了処理にも数十秒かかるケースが多い。
【００１７】
【特許文献１】
特開２００１−２４９６６号公報
【００１８】
【発明が解決しようとする課題】
このように、パソコンを使った従来の環境、方法では、まず、パソコンの設置してある場所に移動し、パソコンの電源を立ち上げ、目的のアプリケーションを起動するという操作が必須であった。また、パソコン上のアプリケーションは、目的に特化した機能が豊富である反面、初心者には操作がわかりにくい。また、アプリケーション毎の操作を習得しなくてはいけない。
【００１９】
そこで、本発明は、コミュニケーションが多く発生する家族の中のコミュニケーション環境を良好にするため、日常的な生活スタイルを変化させることなく、また、コミュニケーションを行うための特別な作業を最低限に抑え、誰でも、簡単に、家族内、また遠隔地との相手とのコミュニケーションを行える環境を構築することのできるコミュニケーション装置、コミュニケーション方法、プログラム、及び記憶媒体を提供することを目的とする。
【００２０】
【課題を解決するための手段】
本発明のコミュニケーション装置においては、誰でも慣れ親しんだ「目覚まし時計」というアイテムに、ネットワーク機能、二次記憶装置を搭載させ、簡単にコミュニケーションを行うことができ、「時計」が持つ便利な機能群を応用し、より便利な生活を提供する独自機能を提案すると共に、家族間のコミュニケーションの頻繁化を誘引する新しいコミュニケーション環境を提供し、単に簡単操作のコミュニケーション装置ではなく、本コミュニケーション装置の機能を活用し、家族間のコミュニケーションを誘発するという副次効果を狙う機能を提供する。
【００２１】
また、本コミュニケーション装置の表示デバイスとしては、家族が最も目にする機会が多いと思われる「テレビ出力」を想定し、そのテレビに表示された様々な内容によって、家族間でのコミュニケーション環境を実現する。
【００２２】
本発明によれば、コミュニケーションが多く発生する家族の中のコミュニケーション環境を良好にするため、日常的な生活スタイルを変化させることなく、また、コミュニケーションを行うための特別な作業を最低限に抑え、誰でも、簡単に、家族内、また遠隔地との相手とのコミュニケーションを行える環境を構築することのできるコミュニケーション装置、コミュニケーション方法、プログラム、及び記憶媒体が得られる。
【００２３】
【発明の実施の形態】
本発明の請求項１に記載の発明は、要求された情報を処理する中央処理装置と、文字、画像などを表示する表示装置と、遠隔操作が可能な入力装置と、データやプログラムを記憶する二次記憶装置とを備え、二次記憶装置には、ネットワークを介した通信機能と内部に保存したデータを家庭内機器やインターネット通信網を介して送受信を行うコミュニケーション機能を設けたことを特徴とするコミュニケーション装置としたものであり、誰でも使い慣れた「目覚まし時計」の操作で、家庭内、遠隔地の相手と、様々なコミュニケーションを行うことが可能な環境を提供する作用を有する。
【００２４】
請求項２に記載の発明は、コミュニケーション装置が、ユーザが予め登録したメッセージを指定のメールアドレスにメール送信する処理を割り当てたボタンを備えていることを特徴とする請求項１記載のコミュニケーション装置としたものであり、本装置のボタン一つで、簡単にメール通信が可能な環境を提供する作用を有する。
【００２５】
請求項３に記載の発明は、コミュニケーション装置が、家庭内の日常生活における掃除、ごみ捨てなどの作業の日付、時間を管理するカレンダー機能を備え、作業の日付、時間をメールやテレビへの表示により告知を行う機能を備えたことを特徴とする請求項１または２に記載のコミュニケーション装置としたものであり、家庭内の日常生活における「掃除」、「ごみ捨て」などの当番を、本装置の日付、時間を管理する「カレンダー機能」に登録しておくことで、メールやテレビへの表示を利用して、該当者に当番の告知を行う、生活に密着した便利機能を提供することが可能な環境を提供する作用を有する。
【００２６】
請求項４に記載の発明は、コミュニケーション装置が、指定した時間の経過を通知するタイマー機能を備え、二次記憶装置内に保存されているデータを、タイマー作動中にテレビ表示させる機能を備えたことを特徴とする請求項１から３のいずれかの項に記載のコミュニケーション装置としたものであり、時計の基本的な機能である、指定した時間の経過を通知してくれる「タイマー機能」を用いて、本装置内に保存されているデータ（主にデジタルカメラ画像）を、タイマー作動中にテレビ表示させることで、単純に時間をカウントするだけではなく、大量に蓄積された画像の閲覧機会を増やすことができる機能を提供する環境を提供する作用を有する。
【００２７】
請求項５に記載の発明は、コミュニケーション装置が、定刻に時刻を通知する時報機能を備え、時報の通知時に、二次記憶装置に保存した画像を表示させる機能を備えたことを特徴とする請求項１から４のいずれかの項に記載のコミュニケーション装置としたものであり、時計の基本的な機能である、定刻に「時刻」を通知する時報機能を用いて、単に定刻に時間を通知するだけではなく、時報の通知処理に保存した画像を表示させることにより、大量に蓄積された画像の閲覧機会を増やすことができる機能を提供する作用を有する。
【００２８】
請求項６に記載の発明は、コミュニケーション装置が、デジタルカメラで撮影した画像データを取り込んで二次記憶装置内に保存する機能を備え、特定の日時、時間に撮影した画像もしくは関連付けされた画像を自動的に表示する機能を備えたことを特徴とする請求項１から５のいずれかの項に記載のコミュニケーション装置としたものであり、デジタルカメラで撮影した画像データをメモリカード（もしくは、ＰＣＭＣＩＡカード）から本装置搭載の二次記憶媒体内に保存したデジタルカメラ画像に対して、本装置の操作で、同日、記念日など特定の日時、時間に撮影した画像もしくは、関連付けされた画像を自動的に表示する機能を設けることで、保存している画像の中から、話題の対象になり得る画像を表示し、画像を介した偶発的なコミュニケーションを誘発する機能を提供する作用を有する。
【００２９】
請求項７に記載の発明は、コミュニケーション装置が、予めユーザが登録した家族の誕生日や記念日等の特定の日をカウントダウン表示する機能を備えたことを特徴とする請求項１から６のいずれかの項に記載のコミュニケーション装置としたものであり、予めユーザが家族の「誕生日」や「記念日」を登録しておくことによって、ある期間を過ぎると、該当日までの時間経過をカウントダウン表示する機能を提供する作用を有する。
【００３０】
請求項８に記載の発明は、コミュニケーション装置が、ユーザが予め指定した画像データの保存フォルダに対して自動的に更新を確認し、ホームページデータを生成し、アップロードを行う機能を備えたことを特徴とする請求項１から７のいずれかの項に記載のコミュニケーション装置としたものであり、ユーザが予め指定した画像データの保存フォルダに対して画像データをコピーしておくと、自動的に更新を確認し、ホームページデータを生成し、アップロードを行う機能を提供する作用を有する。
【００３１】
請求項９に記載の発明は、要求された情報を処理する中央処理装置と、文字、画像などを表示する表示装置と、遠隔操作が可能な入力装置と、データやプログラムを記憶する二次記憶装置とを備えたコミュニケーション装置を用いたコミュニケーション方法であって、ネットワークを介した通信機能と内部に保存したデータを家庭内機器やインターネット通信網を介して送受信を行うコミュニケーション機能を用いてコミュニケーションを行うことを特徴とするコミュニケーション方法としたものであり、ネットワークを介した通信機能と装置内に搭載したストレージ内に保存した画像データを活用した多様な機能を融合し、誰でも使い慣れた「目覚まし時計」の操作で、家庭内、遠隔地の相手と、様々なコミュニケーションを行うことが可能な作用を有する。
【００３２】
請求項１０に記載の発明は、コミュニケーション装置が、ユーザが予め登録したメッセージを指定のメールアドレスにメール送信する処理を割り当てたボタンを備えており、ボタンを操作することで、指定のメールアドレスにメール送信することを特徴とする請求項９記載のコミュニケーション方法としたものであり、本装置のボタン一つで、簡単にメール通信が可能な機能を提供する作用を有する。
【００３３】
請求項１１に記載の発明は、コミュニケーション装置が、家庭内の日常生活における掃除、ごみ捨てなどの作業の日付、時間を管理するカレンダー機能を備えており、作業の日付、時間をメールやテレビへの表示により告知を行うことを特徴とする請求項９または１０に記載のコミュニケーション方法としたものであり、家庭内の日常生活における「掃除」、「ごみ捨て」などの当番を、本装置の日付、時間を管理する「カレンダー機能」に登録しておくことで、メールやテレビへの表示を利用して、該当者に当番の告知を行う、生活に密着した便利機能を提供することが可能な作用を有する。
【００３４】
請求項１２に記載の発明は、コミュニケーション装置が、指定した時間の経過を通知するタイマー機能を備えており、二次記憶装置内に保存されているデータを、タイマー作動中にテレビ表示させることを特徴とする請求項９から１１のいずれかの項に記載のコミュニケーション方法としたものであり、時計の基本的な機能である指定した時間の経過を通知してくれる「タイマー機能」を用いて、本装置内に保存されているデータ（主にデジタルカメラ画像）を、タイマー作動中にテレビ表示させることで、単純に時間をカウントするだけではなく、大量に蓄積された画像の閲覧機会を増やすことができる機能を提供する作用を有する。
【００３５】
請求項１３に記載の発明は、コミュニケーション装置が、定刻に時刻を通知する時報機能を備えており、時報の通知時に、二次記憶装置に保存した画像を表示させることを特徴とする請求項９から１２のいずれかの項に記載のコミュニケーション方法としたものであり、時計の基本的な機能である、定刻に「時刻」を通知する時報機能を用いて、単に定刻に時間を通知するだけではなく、時報の通知処理に保存した画像を表示させることにより、大量に蓄積された画像の閲覧機会を増やすことができる機能を提供する作用を有する。
【００３６】
請求項１４に記載の発明は、コミュニケーション装置が、デジタルカメラで撮影した画像データを取り込んで二次記憶装置内に保存する機能を備えており、保存したデジタルカメラ画像に対して、特定の日時、時間に撮影した画像もしくは関連付けされた画像を自動的に表示することを特徴とする請求項９から１３のいずれかの項に記載のコミュニケーション方法としたものであり、デジタルカメラで撮影した画像データをメモリカード（もしくは、ＰＣＭＣＩＡカード）から本装置搭載のストレージ内に保存したデジタルカメラ画像に対して、本装置の操作で、同日、記念日など特定の日時、時間に撮影した画像（もしくは、関連付けされた画像）を自動的に表示する機能を設けることで、保存している画像の中から、話題の対象になり得る画像を表示し、画像を介した偶発的なコミュニケーションを誘発する機能を提供する作用を有する。
【００３７】
請求項１５に記載の発明は、コミュニケーション装置が、予めユーザが登録した家族の誕生日や記念日等の特定の日を登録する機能を備えており、ある期間を過ぎると、該当日までの時間経過をカウントダウン表示することを特徴とする請求項９から１４のいずれかの項に記載のコミュニケーション方法としたものであり、予めユーザが家族の「誕生日」や「記念日」を登録しておくことによって、ある期間を過ぎると、該当日までの時間経過をカウントダウン表示する機能を提供する作用を有する。
【００３８】
請求項１６に記載の発明は、ユーザが予め指定した画像データの保存フォルダに対して自動的に更新を確認し、ホームページデータを生成し、アップロードを行うことを特徴とする請求項９から１５のいずれかの項に記載のコミュニケーション方法としたものであり、ユーザが予め指定した画像データの保存フォルダに対して画像データをコピーしておくと、自動的に更新を確認し、ホームページデータを生成し、アップロードを行う機能を提供する作用を有する。
【００３９】
請求項１７に記載の発明は、請求項９から１６のいずれかの項に記載された方法をコンピュータに実行させるためのプログラムとしたものであり、これらの方法をコンピュータによって実現できるという作用を有する。
【００４０】
請求項１８に記載の発明は、請求項１７に記載されたプログラムを記録したコンピュータ読み取り可能な記憶媒体としたものであり、この記憶媒体をコンピュータに読み取らせることにより、前記方法を実行することができるという作用を有する。
【００４１】
発明の実施の形態について、図１〜図２３を用いて説明する。
【００４２】
（実施の形態１）
図１は、本発明の実施の形態によるコミュニケーション装置のブロック図である。
【００４３】
図１において、本実施の形態１に係るコミュニケーション装置は、要求された情報を処理する中央処理装置１と、本装置に搭載する表示デバイス、及びテレビ出力を含む表示装置２と、遠隔操作が可能な入力装置（リモコン）３と、主記憶装置４と、データやプログラムを記憶するハードディスクドライブ（ＨＤＤ）等の二次記憶装置５とからなる。また二次記憶装置５は、メール、インターネットの通信プロトコルを含むデータ通信部６、規定のプロトコルによりメール送受信を行うメール送受信部７、送信先、メール本文からメールデータを生成するメールデータ生成部８、ＨＴＭＬ言語で作成されたホームページデータを指定のＷＥＢサーバにアップロードするホームページアップロード部９、表示する画像データへのリンク情報などを使ったＨＴＭＬ言語のホームページを作成するホームページデータ生成部１０、本装置をリモコンで操作する際の操作画面を表示、制御する操作メニュー部１１、デジタルカメラで撮影した画像データ等の入ったメモリカードを読み込むカードスロット制御部１２、本装置内で時間、日付の管理、また、それらに関連付けされた情報を管理する時間、日付管理部１３、本装置内のストレージに保存されるメールデータ等のデータを管理する共通データ管理部１４、コミュニケーションする相手の氏名とメールアドレスを対応付け、管理するアドレス管理部１５、本装置を使用するユーザを管理するユーザ管理部１６、メモリカードから保存される画像データの保存、フォルダへのコピー、画像の検索などを行うための画像データ管理部１７から構成される。
【００４４】
図２、図３は、本発明の実施の形態１によるコミュニケーション装置の概観図である。
【００４５】
図２に示すとおり、コミュニケーション装置２１の外観は見慣れた「目覚まし時計」であり、コミュニケーション装置２１の裏面にネットワークケーブル（図示せず）を接続する。また、コミュニケーション装置２１の出力部をテレビ２２とケーブル接続することにより、コミュニケーション装置２１のメイン画面がテレビ２２に表示される。コミュニケーション装置２１には、メモリカードスロット（もしくは、ＰＣＭＣＩＡカードスロット）２３が設けられており、また表示装置には通常はカレンダー表示、時計表示がなされている。コミュニケーション装置２１はリモコン２４により操作可能であり、またインターネットを介して外部のパソコンや携帯電話とアクセス可能な通信機能を備えている。
【００４６】
図３に示すように、コミュニケーション装置２１の上面にはダイレクトボタン２５が設けられており、コミュニケーション装置２１の機能を割り当て、基本的な操作が、このボタン押下により行えるようにすることで、操作の簡単化を図っている（後述）。
【００４７】
（実施の形態２）
図４、図５、図６は、予め、コミュニケーションの頻度が多い家族のメールアドレスと、よく利用する簡単なメッセージを登録しておき、ダイレクトボタン２５の押下だけで、手軽にメールコミュニケーションを行える機能の処理手順を説明する図である。
【００４８】
図４は、本発明の実施の形態１によるコミュニケーション装置のダイレクトメール処理フローチャートである。
【００４９】
まず、ユーザはコミュニケーション装置２１にログインする（Ｓ１）。もしくは、コミュニケーション装置２１の設定により、このステップのユーザ認証機能を除外し、家族共有で利用することも可能である。
【００５０】
リモコン２４の操作により、メニューからアドレス帳を表示させる（Ｓ２）。このアドレス帳には、予め、家族の氏名、メールアドレスが登録されているものとする。
【００５１】
ボタンに割り当てる送信先の相手をアドレス帳から選択する（Ｓ３）。
【００５２】
送信するメールの本文を入力する（Ｓ４）。本機能において、ボタン押下で送信される際、ここで記述された本文がメールとして送信される。
【００５３】
送信相手毎にボタンを割り当てる（Ｓ５）。
【００５４】
他の登録を行う場合、Ｓ３から繰り返す（Ｓ６）。
【００５５】
登録が終了した時点で、コミュニケーション装置２１が保持する「ダイレクトメール機能管理テーブル（図５）」に登録する（Ｓ７）。
【００５６】
図５は、本発明の実施の形態１によるコミュニケーション装置のダイレクトメール処理参照テーブル図である。
【００５７】
図５では、コミュニケーション装置２１に搭載されている５つのボタンへの送信先を割り当てているテーブルを示している。
【００５８】
本テーブルには、「ボタン名」に割り当てられた各送信先へのメール本文「メッセージ」が登録されることになる。送信先は、コミュニケーション装置２１が別途保持しているアドレス帳のデータが参照される。
【００５９】
図６は、本発明の実施の形態１によるコミュニケーション装置のダイレクトメール処理フローチャートである。
【００６０】
ユーザは、メールでコミュニケーションをとりたい相手に割り当てられたボタンを押下する（Ｓ８）。
【００６１】
ボタンに割り当てられた情報を得るために、管理テーブルを参照する（Ｓ９）。
【００６２】
登録された情報を取得する（Ｓ１０）。
【００６３】
送信先、メール本文を使って、実際に送信するメールデータを生成する（Ｓ１１）。
【００６４】
Ｓ１１で作成したメールデータを、目的の相手に送信する（Ｓ１２）。
【００６５】
このように、本機能は、予め登録した相手に、登録した内容（簡単なメッセージ）を、ボタン押下だけでメール送信することができる。簡易的な連絡をしたい際、非常に有効な機能である。
【００６６】
（実施の形態３）
図７、図８、図９は、コミュニケーション装置２１に、日常生活における、ゴミ捨て、風呂掃除などの当番日を登録しておき、コミュニケーション装置２１の「時計＆カレンダー機能」で、該当日がきたらテレビ２２に表示、または、自動的に該当者にメールを送信する機能の説明図である。
【００６７】
図７は、本発明の実施の形態１によるコミュニケーション装置のタイマー処理フローチャートである。
【００６８】
まず、ユーザはコミュニケーション装置２１にログインする（Ｓ１３）。
【００６９】
コミュニケーション装置２１のメニューから、日付、時間の設定を管理している「カレンダー」を呼び出す（Ｓ１４）。
【００７０】
「当番日」となる日付、時間を指定する（Ｓ１５）。
【００７１】
該当日がきた場合の通知手段を指定する。手段としては、「テレビ表示」、「メール送信」がある（Ｓ１６）。
【００７２】
テレビ表示を指定した場合、テレビ表示内容を確認する（Ｓ１７）。
【００７３】
通知手段にメールを選択した場合、メール送信先を指定するために、「アドレス帳」を読み出す（Ｓ１８）。
【００７４】
アドレス帳を参照しながら、送信先を指定する（Ｓ１９）。
【００７５】
登録作業を続けるならば、Ｓ１４から繰り返す（Ｓ２０）。
【００７６】
登録終了した時点で、コミュニケーション装置２１が保持する「タイマー機能管理テーブル（図８）」に登録する（Ｓ２１）。
【００７７】
図８は、本発明の実施の形態１によるコミュニケーション装置のタイマー処理参照テーブル図である。
【００７８】
通知時刻と時間に対応づけ、通知手段、通知先が登録されている。日付の欄に記載しているとおり、ある特定日（特定時間）一回の通知の場合と、「毎週」、「毎月」等の定期的な通知が行える設定がある。
【００７９】
図９は、本発明の実施の形態１によるコミュニケーション装置のタイマー処理フローチャートである。
【００８０】
まず、本機能を稼動させる設定にする（Ｓ２２）。
【００８１】
Ｓ２２で本機能を有効化された時点から、コミュニケーション装置２１は、時間の経過とともに、管理テーブル内の情報を参照しながら、該当日（時間）の有無をモニタする（Ｓ２３）。
【００８２】
該当データがない場合、モニタを繰り返す（Ｓ２４）。
【００８３】
該当データがあった場合、テーブルの情報を参照し、適切な処理の情報を取得する（Ｓ２５）。
【００８４】
テーブルを参照し、対応する情報に対して、「テレビ表示」の指定があった場合、テレビに登録内容を通知する表示を出力する（Ｓ２６）。
【００８５】
テーブルを参照し、対応する情報に対して、「メール送信」の指定があった場合、自動的に、通知する内容を含んだメールデータを生成する（Ｓ２７）。
【００８６】
Ｓ２７で作成したメールデータをメール送信する（Ｓ２８）。
【００８７】
このように、本機能においては、予め登録した特定日（時間）に、テレビ表示、メール送信の適切な手段で通知することができる機能である。
【００８８】
（実施の形態４）
図１０、図１１、図１２は、デジタルカメラで撮影した画像をコミュニケーション装置２１に保存している環境において、特定時間をカウントするタイマー機能と連動し、登録してある画像を単位時間あたりに表示していくという機能である。
【００８９】
図１０は、本発明の実施の形態１によるコミュニケーション装置のタイマー処理（画像表示）処理フローチャートである。
【００９０】
まず、ユーザは、デジタルカメラで撮影した画像の入ったメモリカードをコミュニケーション装置２１のメモリカードスロット２３に挿入する（Ｓ２９）。
【００９１】
画像を保存するフォルダを指定する（Ｓ３０）。新規に保存するフォルダを作成する場合は、フォルダ管理のメニューを表示し、指定した名前でフォルダを作成することができる。
【００９２】
画像をメモリカードから指定されたフォルダへコピーする（Ｓ３１）。
【００９３】
画像データと、保存されているフォルダを管理している情報を更新する（Ｓ３２）。
【００９４】
さらに、別のメモリカードから画像をコピーしたい場合は、Ｓ３１から処理を繰り返す（Ｓ３３）。
【００９５】
次に、タイマー稼動中に表示させる画像が保存されているフォルダを指定する（Ｓ３４）。以後、このフォルダにコピーされた画像は、タイマー処理の際に、表示される対象となる。
【００９６】
図１１は、本発明の実施の形態１によるコミュニケーション装置のタイマー処理（画像表示）処理フローチャートである。
【００９７】
まず、ユーザは、タイマー時間を設定する（Ｓ３５）。
【００９８】
タイマーをスタートする（Ｓ３６）。
【００９９】
コミュニケーション装置２１は、指定されている画像フォルダを参照する（Ｓ３７）。
【０１００】
タイマーが稼動している間、Ｓ３７で参照しているフォルダ内の画像を、単位時間あたり（通常、１秒）、テレビ２２に表示していく。
【０１０１】
タイマー処理を継続する間、Ｓ３８から繰り返す（Ｓ４０）。
【０１０２】
図１２は、本発明の実施の形態１によるコミュニケーション装置のタイマー処理（画像表示）処理フローチャートである。
【０１０３】
タイマー機能を稼動させた場合の参照フォルダ内の画像を、タイマー時間分だけ、表示を切り替えていく。図１２の例では、タイマー時間を１０秒に設定したときの表示例である。
【０１０４】
このように、単に時計としてのタイマー機能において、経過時間を表示するだけではなく、コミュニケーション装置２１に保存された大量のデジタルカメラ画像を表示させる機能である。
【０１０５】
（実施の形態５）
図１３、図１４は、デジタルカメラで撮影した画像をコミュニケーション装置２１に保存している環境において、定刻を通知する機能と連動し、登録してある画像を単位時間あたりに表示していくという機能である。
【０１０６】
図１３は、本発明の実施の形態１によるコミュニケーション装置の時報処理（画像表示）処理フローチャートである。
【０１０７】
まず、ユーザは、デジタルカメラで撮影した画像の入ったメモリカードをコミュニケーション装置２１のメモリカードスロット２３に挿入する（Ｓ４１）。
【０１０８】
画像を保存するフォルダを指定する（Ｓ４２）。新規に保存するフォルダを作成する場合は、フォルダ管理のメニューを表示し、指定した名前でフォルダを作成することができる。
【０１０９】
画像をメモリカードから指定されたフォルダへコピーする（Ｓ４３）。
【０１１０】
画像データと、保存されているフォルダを管理している情報を更新する（Ｓ４４）。
【０１１１】
さらに、別のメモリカードから画像をコピーしたい場合は、Ｓ４３から処理を繰り返す（Ｓ４５）。
【０１１２】
次に、画像が保存されているフォルダに対して、時報通知中に表示させる画像が保存されているフォルダを指定する（Ｓ４６）。以後、このフォルダにコピーされた画像は、時報通知処理の際に、表示される対象となる。
【０１１３】
図１４は、本発明の実施の形態１によるコミュニケーション装置の時報処理（画像表示）の説明図である。
【０１１４】
定刻通知を処理する場合の参照フォルダ内の画像を、規定回数、表示をきりかえていく。図１４の例では、「７時」の場合の定刻通知処理の表示例である。
【０１１５】
このように、単に時計としての定刻通知機能において、現在の時刻を表示するだけではなく、コミュニケーション装置２１に保存された大量のデジタルカメラ画像を「時報」と連動させ、表示させる機能である。
【０１１６】
（実施の形態６）
図１５、図１６は、デジタルカメラで撮影した画像をコミュニケーション装置２１に保存している環境において、過去の同時刻、同日（もしくは、その近時刻）に撮影した写真を自動表示させる機能の説明図である。
【０１１７】
図１５は、本発明の実施の形態１によるコミュニケーション装置の履歴検索（画像表示）の処理フローチャートである。
【０１１８】
まず、ユーザはどのような指定で画像を表示させるかを指定する（Ｓ４７）。
【０１１９】
本機能における指定は、特定日に撮影された画像のみを表示するものから、年度違いの同日に撮影された画像を表示するなどの様々な指定が存在する。
【０１２０】
次に、実際にユーザは、日付などの検索条件を指定する（Ｓ４８）。
【０１２１】
特定の日付、時間で保存された画像の中から指定された検索条件に合致した画像を検索する（Ｓ４９）。
【０１２２】
Ｓ４９で検索された画像を表示する（Ｓ５０）。
【０１２３】
図１６は、本発明の実施の形態１によるコミュニケーション装置の履歴検索（画像表示）の説明図である。
【０１２４】
例では、「２００２／０９／０９」を検索条件として、この日付に近い日に撮影した画像を、年代ごとに検索し、表示している例である。
【０１２５】
本機能の実際の利用シーンとしては、定期的に写真を撮影していき、子供の成長記録として参照する場合などに利用できる。
【０１２６】
（実施の形態７）
図１７、図１８、図１９は、予め、家族、親戚、知人の「誕生日」、「記念日」等を登録しておき、該当日が近づくと、その日までのカウントダウン表示を行う機能の説明図である。
【０１２７】
図１７は、本発明の実施の形態１によるコミュニケーション装置のカウントダウン機能の処理フローチャートである。
【０１２８】
まず、ユーザはコミュニケーション装置２１にログインする（Ｓ５１）。
【０１２９】
次に、コミュニケーション装置２１で日付、時間を管理している「カレンダー」を呼び出す（Ｓ５２）。ここで設定する日付、時間がカウントダウンの対象となる日付となる。たとえば、家族の誕生日や記念日などの設定が行われることになる。
【０１３０】
日付、時間を設定した後、カウントダウンを開始する期間を指定する（Ｓ５３）。
【０１３１】
カウントダウンの通知手段を指定する（Ｓ５４）。指定には、「テレビ表示」、「メール送信」がある。
【０１３２】
テレビ表示を選択した場合、通知内容がテレビに表示される（Ｓ５５）。
【０１３３】
通知処理にメール送信を指定した場合、メール送信のメールアドレスの指定を行う（Ｓ５６）。
【０１３４】
このメールアドレスの指定は、コミュニケーション装置２１が別途、保持しているアドレス帳を参照して行う（Ｓ５７）。
【０１３５】
登録を続ける場合は、Ｓ５２から処理を繰り返す（Ｓ５８）。
【０１３６】
新規の設定が完了したら、設定情報を管理テーブル（図１８）に登録する（Ｓ５９）。
【０１３７】
図１８は、本発明の実施の形態１によるコミュニケーション装置のカウントダウン機能の参照テーブル図である。
【０１３８】
図に示した通り、日付に対応して、カウントダウンの表示期間、また、カウントダウンの通知先等の情報を保持している。通知手段をメール送信とした場合、メール送信先は、コミュニケーション装置２１が保持しているアドレス帳の情報を参照して行う。
【０１３９】
図１９は、本発明の実施の形態１によるコミュニケーション装置のカウントダウン機能の処理フローチャートである。
【０１４０】
まず、カウントダウン機能を有効化する指定を行う（Ｓ６０）。
【０１４１】
時間の経過とともに、管理テーブル内の情報を参照しながら、該当日（時間）の有無をモニタする（Ｓ６１）。
【０１４２】
該当するデータがない場合は、Ｓ６１から繰り返す（Ｓ６２）。
【０１４３】
画像データがあった場合、すなわち、カウントダウン処理の期間に入った場合、通知処理を行う（Ｓ６３）。通知処理は、「テレビ表示」と「メール送信」がある。
【０１４４】
テレビ表示の場合、該当したデータの内容、及び、その期日までの時間をテレビに表示する（Ｓ６４）。
【０１４５】
通知手段がメール送信の場合、該当するデータと、その期日までの時間からメールデータを生成する（Ｓ６５）。
【０１４６】
Ｓ６５で生成されたメールデータを送信する（Ｓ６６）。
【０１４７】
定期的にカウントダウン通知の処理を行い、該当日（時間）が経過した時点で終了する（Ｓ６７）。
【０１４８】
このように、時計を利用した特定日までのカウントダウン機能を、テレビ表示、メール送信などの手段で、簡単に、効果的に活用することができる機能である。
【０１４９】
（実施の形態８）
図２０、図２１、図２２は、ユーザが予約した時間に、定期的に、ホームページを更新していく機能の処理説明図である。
【０１５０】
図２０は、本発明の実施の形態１によるコミュニケーション装置の自動ホームページアップロード機能の処理フローチャートである。
【０１５１】
まず、ユーザはコミュニケーション装置２１にログインする（Ｓ６８）。
【０１５２】
次に、ホームページをアップロードする際のサーバ側のログイン情報を設定する（Ｓ６９）。一般に、ホームページを保存させるＷＥＢサーバは、プロバイダ所有のサーバであり、特定のログインＩＤが提供されている。
【０１５３】
ホームページ内に取り込む画像の保存フォルダを指定する（Ｓ７０）。今後、このフォルダにコピーされた画像は、本機能により、ＷＥＢサーバ上に転送される。
【０１５４】
ホームページ更新内容の有無を確認する間隔を設定する（Ｓ７１）。たとえば、１週間と指定した場合、週に一度、規定した画像フォルダに更新するデータがないかを確認する。
【０１５５】
以上まで、設定が終わった時点で、管理テーブルに登録する（Ｓ７２）。
【０１５６】
図２１は、本発明の実施の形態１によるコミュニケーション装置の自動ホームページアップロード機能の参照テーブル図である。前回の更新日に対応して、次回更新までの時間（もしくは、間隔）、更新する際に参照する画像フォルダ、サーバ側のフォルダ（ＵＲＬ）を規定しているテーブルである。
【０１５７】
登録された「更新フォルダ」を、指定された間隔で参照し、更新データがあった場合は、そのまま、サーバに自動的にログインし、ホームページをアップロードする。
【０１５８】
図２２は、本発明の実施の形態１によるコミュニケーション装置の自動ホームページアップロード機能の処理フローチャートである。
【０１５９】
まず、ユーザはログインする（Ｓ７３）。
【０１６０】
次に、更新するタイミングを指定するために、コミュニケーション装置２１で時間、時付けを管理しているカレンダーを表示させる（Ｓ７４）。
【０１６１】
予め設定されている更新フォルダを参照する（Ｓ７５）。
【０１６２】
更新フォルダに更新データがあった場合（Ｓ７６）、ホームページにアップロードするＨＴＭＬデータを自動的に生成する（Ｓ７７）。
【０１６３】
ホームページを更新するため、サーバ側にログインする（Ｓ７８）。
【０１６４】
通常、プロバイダ側から提供されるユーザＩＤ、パスワードの認証で、ＦＴＰ（プロトコル）でのログインを行える。
【０１６５】
ログインした後、所定のフォルダ（ＵＲＬ）に移動し、実際のＨＴＭＬデータをアップロードする（Ｓ７９）。
【０１６６】
このように、本機能は、定期的に、更新分だけのＨＴＭＬデータを生成し、自動的にアップロードする機能である。
【０１６７】
図２３は、従来のパソコンを用いた基本処理を示すブロック図である。
【０１６８】
例としては、「フォルダ１」「フォルダ２」「フォルダ３」が、更新する際の参照フォルダとして指定されており、「フォルダ１」、「フォルダ２」のみに更新対象の画像が含まれているので、サーバ側のそれぞれに対応するフォルダにデータをアップロードする。
【０１６９】
このように、ユーザは、従来のように自分でＨＴＭＬ言語でホームページを作る必要はなく、ある特定の画像データをコピーしておくだけで、自動的にコミュニケーション装置２１がホームページをアップロードすることができる。
【０１７０】
なお、本発明の実施の形態１〜８の処理のフローチャートをコンピュータに実行させるために、プログラムを用いることが可能である。
【０１７１】
さらに、そのプログラムをコンピュータ読み取り可能な記憶媒体に格納することで、コンピュータプログラムを提供することが可能である。
【０１７２】
【発明の効果】
以上のように、請求項１に記載のコミュニケーション装置によれば、ネットワークを介した通信機能と装置内に搭載した二次記憶装置内に保存した画像データを活用した多様な機能を融合し、誰でも使い慣れた「目覚まし時計」の操作で、家庭内、遠隔地の相手と、様々なコミュニケーションを行うことが可能な環境を提供する有利な効果が得られる。
【０１７３】
請求項２に記載のコミュニケーション装置によれば、ユーザが予めメッセージを登録し、指定のメールアドレスにメール送信する処理をボタンに割り当てることで、ボタン一つで、簡単にメール通信が可能な機能を提供する特徴を有する有利な効果が得られる。
【０１７４】
請求項３に記載のコミュニケーション装置によれば、家庭内の日常生活における「掃除」、「ごみ捨て」などの当番を、コミュニケーション装置の日付、時間を管理する「カレンダー機能」に登録しておくことで、メールやテレビへの表示を利用して、該当者に当番の告知を行う、生活に密着した便利機能を提供する有利な効果が得られる。
【０１７５】
請求項４に記載のコミュニケーション装置によれば、時計の基本的な機能である、指定した時間の経過を通知してくれる「タイマー機能」を用いて、コミュニケーション装置内に保存されているデータ（主にデジタルカメラ画像）を、タイマー作動中にテレビ表示させることで、単純に時間をカウントするだけではなく、大量に蓄積された画像の閲覧機会を増やすことができる機能を提供する有利な効果が得られる。
【０１７６】
請求項５に記載のコミュニケーション装置によれば、時計の基本的な機能である、定刻に「時刻」を通知する時報機能を用いて、単に定刻に時間を通知するだけではなく、時報の通知処理に保存した画像を表示させることにより、大量に蓄積された画像の閲覧機会を増やすことができる機能を提供する有利な効果が得られる。
【０１７７】
請求項６に記載のコミュニケーション装置によれば、デジタルカメラで撮影した画像データをメモリカード（もしくは、ＰＣＭＣＩＡカード）からコミュニケーション装置搭載の二次記憶装置内に保存したデジタルカメラ画像に対して、コミュニケーション装置の操作で、同日、記念日など特定の日時、時間に撮影した画像もしくは関連付けされた画像を自動的に表示する機能を設けることで、保存している画像の中から、話題の対象になり得る画像を表示し、画像を介した偶発的なコミュニケーションを誘発する機能を提供する有利な効果が得られる。
【０１７８】
請求項７に記載のコミュニケーション装置によれば、予めユーザが家族の「誕生日」や「記念日」を登録しておくことによって、ある期間を過ぎると、該当日までの時間経過をカウントダウン表示する機能を提供する有利な効果が得られる。
【０１７９】
請求項８に記載のコミュニケーション装置によれば、ユーザが予め指定した画像データの保存フォルダに対して画像データをコピーしておくと、自動的に更新を確認し、ホームページデータを生成し、アップロードを行う機能を提供する有利な効果が得られる。
【０１８０】
請求項９に記載のコミュニケーション方法によれば、要求された情報を処理する中央処理装置と、文字、画像などを表示する表示装置（テレビ出力含む）と、コミュニケーション装置の遠隔操作が可能な入力装置と、データやプログラムを記憶する二次記憶装置からなる処理装置において、ネットワークを介した通信機能と装置内に搭載した二次記憶装置内に保存した画像データを活用した多様な機能を融合し、誰でも使い慣れた「目覚まし時計」の操作で、家庭内、遠隔地の相手と、様々なコミュニケーションを行うことが可能な有利な効果が得られる。
【０１８１】
請求項１０に記載のコミュニケーション方法によれば、ユーザが予めメッセージを登録し、指定のメールアドレスにメール送信する処理をボタンに割り当てることで、ボタン一つで、簡単にメール通信が可能な機能を提供する有利な効果が得られる。
【０１８２】
請求項１１に記載のコミュニケーション方法によれば、家庭内の日常生活における「掃除」、「ごみ捨て」などの当番を、コミュニケーション装置の日付、時間を管理する「カレンダー機能」に登録しておくことで、メールやテレビへの表示を利用して、該当者に当番の告知を行う、生活に密着した便利機能を提供することが可能な有利な効果が得られる。
【０１８３】
請求項１２に記載のコミュニケーション方法によれば、時計の基本的な機能である、指定した時間の経過を通知してくれる「タイマー機能」を用いて、コミュニケーション装置内に保存されているデータ（主にデジタルカメラ画像）を、タイマー作動中にテレビ表示させることで、単純に時間をカウントするだけではなく、大量に蓄積された画像の閲覧機会を増やすことができる環境を提供する有利な効果が得られる。
【０１８４】
請求項１３に記載のコミュニケーション方法によれば、時計の基本的な機能である、定刻に「時刻」を通知する時報機能を用いて、単に定刻に時間を通知するだけではなく、時報の通知処理に保存した画像を表示させることにより、大量に蓄積された画像の閲覧機会を増やすことができる機能を提供する有利な効果が得られる。
【０１８５】
請求項１４に記載のコミュニケーション方法によれば、デジタルカメラで撮影した画像データをメモリカード（もしくは、ＰＣＭＣＩＡカード）からコミュニケーション装置搭載の二次記憶装置内に保存したデジタルカメラ画像に対して、コミュニケーション装置の操作で、同日、記念日など特定の日時、時間に撮影した画像（もしくは、関連付けされた画像）を自動的に表示する機能を設けることで、保存している画像の中から、話題の対象になり得る画像を表示し、画像を介した偶発的なコミュニケーションを誘発する機能を提供する有利な効果が得られる。
【０１８６】
請求項１５に記載のコミュニケーション方法によれば、予めユーザが家族の「誕生日」や「記念日」を登録しておくことによって、ある期間を過ぎると、該当日までの時間経過をカウントダウン表示する機能を提供する有利な効果が得られる。
【０１８７】
請求項１６に記載のコミュニケーション方法によれば、ユーザが予め指定した画像データの保存フォルダに対して画像データをコピーしておくと、自動的に更新を確認し、ホームページデータを生成し、アップロードを行う機能を提供することが可能な有利な効果が得られる。
【０１８８】
請求項１７に記載のプログラムによれば、請求項９から１６のいずれかの項に記載された方法をコンピュータによって実現できるという有利な効果が得られる。
【０１８９】
請求項１８に記載の記憶媒体によれば、この記憶媒体をコンピュータに読み取らせることにより、前記方法を実行することができるという有利な効果が得られる。
【図面の簡単な説明】
【図１】本発明の実施の形態によるコミュニケーション装置のブロック図
【図２】本発明の実施の形態１によるコミュニケーション装置の概観図
【図３】本発明の実施の形態１によるコミュニケーション装置の概観図
【図４】本発明の実施の形態１によるコミュニケーション装置のダイレクトメール処理フローチャート
【図５】本発明の実施の形態１によるコミュニケーション装置のダイレクトメール処理参照テーブル図
【図６】本発明の実施の形態１によるコミュニケーション装置のダイレクトメール処理フローチャート
【図７】本発明の実施の形態１によるコミュニケーション装置のタイマー処理フローチャート
【図８】本発明の実施の形態１によるコミュニケーション装置のタイマー処理参照テーブル図
【図９】本発明の実施の形態１によるコミュニケーション装置のタイマー処理フローチャート
【図１０】本発明の実施の形態１によるコミュニケーション装置のタイマー処理（画像表示）処理フローチャート
【図１１】本発明の実施の形態１によるコミュニケーション装置のタイマー処理（画像表示）処理フローチャート
【図１２】本発明の実施の形態１によるコミュニケーション装置のタイマー処理（画像表示）処理フローチャート
【図１３】本発明の実施の形態１によるコミュニケーション装置の時報処理（画像表示）処理フローチャート
【図１４】本発明の実施の形態１によるコミュニケーション装置の時報処理（画像表示）の説明図
【図１５】本発明の実施の形態１によるコミュニケーション装置の履歴検索（画像表示）の処理フローチャート
【図１６】本発明の実施の形態１によるコミュニケーション装置の履歴検索（画像表示）の説明図
【図１７】本発明の実施の形態１によるコミュニケーション装置のカウントダウン機能の処理フローチャート
【図１８】本発明の実施の形態１によるコミュニケーション装置のカウントダウン機能の参照テーブル図
【図１９】本発明の実施の形態１によるコミュニケーション装置のカウントダウン機能の処理フローチャート
【図２０】本発明の実施の形態１によるコミュニケーション装置の自動ホームページアップロード機能の処理フローチャート
【図２１】本発明の実施の形態１によるコミュニケーション装置の自動ホームページアップロード機能の参照テーブル図
【図２２】本発明の実施の形態１によるコミュニケーション装置の自動ホームページアップロード機能の処理フローチャート
【図２３】従来のパソコンを用いた基本処理を示すブロック図
【図２４】従来のパソコンを用いた基本処理を示す処理ブロック図
【図２５】従来の処理手順においてパソコンを使ってメールを送信する処理手順を説明するフローチャート
【符号の説明】
１  中央処理装置
２  表示装置
３  （遠隔操作が可能な）入力装置（リモコン）
４  主記憶装置
５  二次記憶装置
６  データ通信部
７  メール送受信部
８  メールデータ生成部
９  ホームページアップロード部
１０  ホームページデータ生成部
１１  操作メニュー部
１２  カードスロット制御部
１３  時間、日付管理部
１４  共通データ管理部
１５  アドレス管理部
１６  ユーザ管理部
１７  画像データ管理部
２１  コミュニケーション装置
２２  テレビ
２３  メモリカードスロット
２４  リモコン
２５  ダイレクトボタン
【図１】
2004252644.tif 000003
【図２】
2004252644.tif 000004
【図３】
2004252644.tif 000005
【図４】
2004252644.tif 000006
【図５】
2004252644.tif 000007
【図６】
2004252644.tif 000008
【図７】
2004252644.tif 000009
【図８】
2004252644.tif 000010
【図９】
2004252644.tif 000011
【図１０】
2004252644.tif 000012
【図１１】
2004252644.tif 000013
【図１２】
2004252644.tif 000014
【図１３】
2004252644.tif 000015
【図１４】
2004252644.tif 000016
【図１５】
2004252644.tif 000017
【図１６】
2004252644.tif 000018
【図１７】
2004252644.tif 000019
【図１８】
2004252644.tif 000020
【図１９】
2004252644.tif 000021
【図２０】
2004252644.tif 000022
【図２１】
2004252644.tif 000023
【図２２】
2004252644.tif 000024
【図２３】
2004252644.tif 000025
【図２４】
2004252644.tif 000026
【図２５】
2004252644.tif 000027